(57)【特許請求の範囲】
【請求項１】
電子機器に無線給電を行う給電手段と、
前記電子機器と通信を行う通信手段と、
前記電子機器に対して所定の電力の出力を開始する前に、異物を検出するための異物検出処理を行うか否かを示す情報の前記電子機器への送信を前記通信手段に行わせる制御手段と
を有することを特徴とする給電装置。
【請求項２】
前記制御手段は、前記所定の電力の大きさに応じて、前記異物検出処理を行うか否かを判定し、
前記制御手段は、前記異物検出処理を行うと判定された場合、前記異物検出処理を行うことを示す情報を前記通信手段に送信させ、
前記制御手段は、前記異物検出処理を行わないと判定された場合、前記異物検出処理を行わないことを示す情報を前記通信手段に送信させる
ことを特徴とする請求項１に記載の給電装置。
【請求項３】
前記制御手段は、前記所定の電力が第１の値よりも大きい場合、前記異物検出処理を行うことを示す情報を前記通信手段に送信させ、
前記制御手段は、前記所定の電力が前記第１の値以下である場合、前記異物検出処理を行わないことを示す情報を前記通信手段に送信させる
ことを特徴とする請求項１または２に記載の給電装置。
【請求項４】
前記制御手段は、前記給電手段によって前記所定の電力が出力される所定の時間の長さに応じて、前記異物検出処理を行うか否かを判定し、
前記制御手段は、前記異物検出処理を行うと判定された場合、前記異物検出処理を行うことを示す情報を前記通信手段に送信させ、
前記制御手段は、前記異物検出処理を行わないと判定された場合、前記異物検出処理を行わないことを示す情報を前記通信手段に送信させる
ことを特徴とする請求項１から３のいずれか１項に記載の給電装置。
【請求項５】
前記制御手段は、前記給電手段によって前記所定の電力が出力される所定の時間が第２の値以上である場合、前記異物検出処理を行うことを示す情報を前記通信手段に送信させ、
前記制御手段は、前記所定の時間が前記第２の値以上でない場合、前記異物検出処理を行わないことを示す情報を前記通信手段に送信させる
ことを特徴とする請求項１から４のいずれか１項に記載の給電装置。
【請求項６】
前記制御手段は、前記電子機器に接続される電池の残容量に応じて、前記異物検出処理を行うか否かを判定し、
前記制御手段は、前記異物検出処理を行うと判定された場合、前記異物検出処理を行うことを示す情報を前記通信手段に送信させ、
前記制御手段は、前記異物検出処理を行わないと判定された場合、前記異物検出処理を行わないことを示す情報を前記通信手段に送信させる
ことを特徴とする請求項１から５のいずれか１項に記載の給電装置。
【請求項７】
前記制御手段は、前記電子機器に接続される電池の残容量が第３の値以上である場合、前記異物検出処理を行わないことを示す情報を前記通信手段に送信させ、
前記制御手段は、前記残容量が前記第３の値以上でない場合、前記異物検出処理を行うことを示す情報を前記通信手段に送信させる
ことを特徴とする請求項１から６のいずれか１項に記載の給電装置。
【請求項８】
前記制御手段は、前記電子機器から要求される電力の大きさに応じて、前記異物検出処理を行うか否かを判定し、
前記制御手段は、前記異物検出処理を行うと判定された場合、前記異物検出処理を行うことを示す情報を前記通信手段に送信させ、
前記制御手段は、前記異物検出処理を行わないと判定された場合、前記異物検出処理を行わないことを示す情報を前記通信手段に送信させる
ことを特徴とする請求項１から７のいずれか１項に記載の給電装置。
【請求項９】
前記制御手段は、前記給電手段から出力される電力の反射に関するデータを用いて前記異物検出処理を行うことを特徴とする請求項１から８のいずれか１項に記載の給電装置。
【請求項１０】
前記制御手段は、前記給電手段に流れる電流に関するデータを用いて前記異物検出処理を行うことを特徴とする請求項１から９のいずれか１項に記載の給電装置。
【請求項１１】
前記制御手段は、前記異物検出処理が行われた場合、異物が検出されなかったことを応じて、前記所定の電力の出力を前記給電手段に開始させることを特徴とする請求項１から１０のいずれか１項に記載の給電装置。
【請求項１２】
前記制御手段は、前記異物検出処理が行われた場合、異物が検出されたことを応じて、前記給電手段から出力される電力を制限するための処理を行うことを特徴とする請求項１から１１のいずれか１項に記載の給電装置。
【請求項１３】
前記制御手段は、前記異物検出処理が行われた場合、異物が検出されたことを応じて、前記給電手段から出力される電力を下げるための処理を行うことを特徴とする請求項１から１２のいずれか１項に記載の給電装置。
【請求項１４】
前記通信手段によって前記電子機器に送信される前記異物検出処理を行うことを示す情報には、前記異物検出処理を行うための時間を示す情報が含まれることを特徴とする請求項１から１３のいずれか１項に記載の給電装置。
【請求項１５】
前記通信手段によって前記電子機器に送信される前記異物検出処理を行うことを示す情報には、異物を検出するための方法を示す情報が含まれることを特徴とする請求項１から１４のいずれか１項に記載の給電装置。
【請求項１６】
電子機器であって、
給電装置から無線で電力を受け取る受電手段と、
前記給電装置から異物を検出するための異物検出処理を行うか否かを示す情報を前記給電装置から受け取る通信手段と、
前記給電装置から前記異物検出処理を行うことを示す情報が受信された後、前記異物検出処理が行われる検出時間が経過するまで、前記電子機器の負荷を制限する制御手段と
を有することを特徴とする電子機器。
【請求項１７】
電子機器であって、
給電装置から無線で電力を受け取る受電手段と、
前記給電装置から異物を検出するための異物検出処理を行うか否かを示す情報を前記給電装置から受け取る通信手段と、
前記給電装置から前記異物検出処理を行うことを示す情報が受信された後、前記異物検出処理が行われる検出時間が経過するまでは、前記電子機器に流れる電流を制限する制御手段と
を有することを特徴とする電子機器。
【請求項１８】
電子機器に無線給電を行う給電ステップと、
前記電子機器と通信を行う通信ステップと、
前記電子機器に対して所定の電力の出力を開始する前に、異物を検出するための異物検出処理を行うか否かを示す情報の前記電子機器への送信を前記通信ステップにおいて行わせる制御ステップと
を有することを特徴とする給電装置の制御方法。
【請求項１９】
電子機器の制御方法であって、
給電装置から無線で電力を受け取る受電ステップと、
前記給電装置から異物を検出するための異物検出処理を行うか否かを示す情報を前記給電装置から受け取る通信ステップと、
前記給電装置から前記異物検出処理を行うことを示す情報が受信された後、前記異物検出処理が行われる検出時間が経過するまで、前記電子機器の負荷を制限する制御ステップと
を有することを特徴とする電子機器の制御方法。
【請求項２０】
電子機器の制御方法であって、
給電装置から無線で電力を受け取る受電ステップと、
前記給電装置から異物を検出するための異物検出処理を行うか否かを示す情報を前記給電装置から受け取る通信ステップと、
前記給電装置から前記異物検出処理を行うことを示す情報が受信された後、前記異物検出処理が行われる検出時間が経過するまでは、前記電子機器に流れる電流を制限する制御ステップと
を有することを特徴とする電子機器の制御方法。
【発明の詳細な説明】
【技術分野】
【０００１】
本発明は、無線給電を行う給電装置等に関する。
【背景技術】
【０００２】
近年、コネクタで接続することなく無線によって電力を出力するための一次コイルを持つ給電装置と、給電装置から供給される電力を無線で受け付けるための二次コイルを持つ電子機器とを含む給電システムが知られている。
【０００３】
このような給電システムにおいて、電子機器は、給電装置から二次コイルを介して受け取る電力によって電池の充電を行うことが知られている（特許文献１）。
【先行技術文献】
【特許文献】
【０００４】
【特許文献１】特開２００１−２７５２６６号公報
【発明の概要】
【発明が解決しようとする課題】
【０００５】
従来、給電装置は、一次コイルを介して電子機器に電力を供給し、電子機器は、二次コイルを介して給電装置から供給される電力を受電していた。
【０００６】
しかし、一次コイルと二次コイルとの間に金属等の異物が挿入された場合、給電装置から出力される電力が異物に供給されてしまい、その影響によって、給電装置は、電子機器に対して適切な給電を行えなくなってしまうという問題があった。
【０００７】
このような問題を防止するために、給電装置は、給電を行う際に、給電装置の近傍に異物が存在するか否かの検出を行い、異物が検出された場合、異物に電力が供給されないように給電を制御することが必要となってきている。
【０００８】
そこで、本発明は、異物の検出が適切に行われるようにし、適切に給電が行われるようにすることを目的とする。
【課題を解決するための手段】
【０００９】
本発明に係る給電装置は、電子機器に所定の電力を無線で供給する給電手段と、前記電子機器と通信を行う通信手段と、異物検出手段とを有し、前記所定の電力を前記電子機器に供給する前に、前記異物検出手段を用いて異物検出をおこなうか否かを判断し、異物検出をおこなうか否かを前記通信手段により前記電子機器に送信することを特徴とする。
【００１０】
本発明に係る電子機器は、電子機器であって、給電装置から無電で電力を受け取る受電手段と、前記給電装置から異物を検出するための異物検出処理を行うか否かを示す情報を前記給電装置から受け取る通信手段と、前記給電装置から前記異物検出処理を行うことを示す情報が受信された後、前記異物検出処理が行われる検出時間が経過するまで、前記電子機器の負荷を制限する制御手段とを有する。本発明に係る電子機器は、給電装置から無電で電力を受け取る受電手段と、前記給電装置から異物を検出するための異物検出処理を行うか否かを示す情報を前記給電装置から受け取る通信手段と、前記給電装置から前記異物検出処理を行うことを示す情報が受信された後、前記異物検出処理が行われる検出時間が経過するまでは、前記電子機器の電力消費を制限する制御手段とを有する。
【００１１】
本発明に係る電子機器は、給電装置から無電で電力を受け取る受電手段と、前記給電装置から異物を検出するための異物検出処理を行うか否かを示す情報を前記給電装置から受け取る通信手段と、前記給電装置から前記異物検出処理を行うことを示す情報が受信された後、前記異物検出処理が行われる検出時間が経過するまでは、前記電子機器に流れる電流を制限する制御手段とを有する。
【発明の効果】
【００１２】
本発明によれば、異物の検出が適切に行われるようにし、適切に給電が行われるようにすることができる。
【図面の簡単な説明】
【００１３】
【図１】実施例１における無線給電システムの一例を示す図である。
【図２】実施例１に係る給電装置の一例を示すブロック図である。
【図３】実施例１に係る電子機器の一例を示すブロック図である。
【図４】実施例１に係る電子機器のタグの一例を示す図である。
【図５】実施例１に係る給電装置の状態遷移図の一例である。
【図６】実施例１に係る給電装置によって行われる制御処理の一例を示すフローチャート図である。
【図７】実施例１に係る給電装置によって行われる認証処理の一例を示すフローチャート図である。
【図８】実施例１に係る給電装置によって行われるステータスデータ交換処理の一例を示すフローチャート図である。
【図９】実施例１に係る給電装置によって行われる給電処理の一例を示すフローチャート図である。
【図１０】実施例１に係る電子機器によって行われる受電処理の一例を示すフローチャート図である。
【発明を実施するための形態】
【００１４】
（実施例１）
以下、本発明の実施例１について、図面を参照して説明する。
【００１５】
図１に示すように、実施例１に係る無線給電システムは、給電装置１００と電子機器２００とを有する。実施例１における無線給電システムにおいて、給電装置１００における所定の範囲３００内に電子機器２００が存在する場合、給電装置１００は、電子機器２００に無線により給電を行う。また、電子機器２００が所定の範囲３００内に存在する場合、電子機器２００は、給電装置１００から出力される電力を無線により受け取ることができる。また、電子機器２００が所定の範囲３００内に存在しない場合、電子機器２００は、給電装置１００から電力を受け取ることができない。なお、所定の範囲３００とは、給電装置１００が電子機器２００と通信を行うことができる範囲であるものとする。所定の範囲３００を給電装置１００の筺体上の範囲としたが、これに限られないものとする。なお、給電装置１００は、複数の電子機器に対して無線により給電を行うものであってもよいものとする。
【００１６】
電子機器２００は、撮像装置や再生装置であってもよく、携帯電話やスマートフォンのような通信装置であってもよいものとする。また、電子機器２００は、電池を含む電池パックであってもよい。また、電子機器２００は、自動車やディスプレイであってもよく、パーソナルコンピュータであってもよい。
【００１７】
次に、図２を参照して、実施例１に係る給電装置１００の構成の一例について説明を行う。給電装置１００は、図２に示すように、制御部１０１、給電部１０２、メモリ１０８、表示部１０９、操作部１１０、電流検出部１１１、温度検出部１１２及び第２の通信部１１３を有する。給電部１０２には、電力生成部１０３、検出部１０４、整合回路１０５、第１の通信部１０６及び給電アンテナ１０７が含まれる。
【００１８】
制御部１０１は、メモリ１０８に記録されているコンピュータプログラムを実行することによって、給電装置１００を制御する。制御部１０１は、例えば、ＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）を含む。なお、制御部１０１は、ハードウェアにより構成されるものとする。また、制御部１０１は、タイマー１０１ａを有する。
【００１９】
給電部１０２は、所定の給電方法に基づいて、無線給電を行うために用いられる。所定の給電方法は、例えば、磁界共鳴方式を用いた給電方法である。磁界共鳴方式とは、給電装置１００と電子機器２００との間で共振が行われる状態において、給電装置１００から電子機器２００に電力を伝送するものである。給電装置１００と電子機器２００との間で共振が行われる状態とは、給電装置１００の給電アンテナ１０７の共振周波数と、電子機器２００の受電アンテナ２０３の共振周波数とが給電電力の周波数と一致している状態である。所定の給電方法は、磁界共鳴方式以外の方式を用いた給電方法であってもよい。
【００２０】
電力生成部１０３は、不図示のＡＣ電源と給電装置１００とが接続されている場合、不図示のＡＣ電源から供給される電力を用いて、給電アンテナ１０７を介して外部に出力するための電力を生成する。
【００２１】
電力生成部１０３によって生成される電力には、通信電力と、所定の電力とがある。通信電力は、第１の通信部１０６が電子機器２００と通信を行うために用いられる。通信電力は、例えば、１Ｗ以下の微弱な電力であるものとする。なお、通信電力は、第１の通信部１０６の通信規格に規定されている電力であってもよい。所定の電力は、電子機器２００が充電や特定の動作を行うために用いられる。所定の電力は、例えば、２Ｗ以上の電力であるものとする。また、所定の電力は、通信電力よりも大きい電力であれば、２Ｗ以上の電力に限られないものとする。所定の電力の値は、電子機器２００から取得したデータに基づいて、制御部１０１によって設定される。
【００２２】
電力生成部１０３によって生成される電力は、検出部１０４及び整合回路１０５を介して給電アンテナ１０７に供給される。
【００２３】
検出部１０４は、給電装置１００と電子機器２００との共振の状態を検出するために、電圧定在波比ＶＳＷＲ（Ｖｏｌｔａｇｅ  Ｓｔａｎｄｉｎｇ  Ｗａｖｅ  Ｒａｔｉｏ）を検出する。さらに、検出部１０４は、検出したＶＳＷＲを示すデータを制御部１０１に供給する。ＶＳＷＲは、給電アンテナ１０７から出力される電力の進行波と、給電アンテナ１０７から出力される電力の反射波との関係を示す値である。制御部１０１は、検出部１０４から供給されたＶＳＷＲのデータを用いて、給電装置１００と電子機器２００との共振の状態の変化や異物の存在を検出することができる。異物とは、例えば、金属やＩＣカード等である。なお、異物は、給電装置１００の対応している給電方法に対応していない機器や電池を充電するための充電手段を有していない機器や、給電装置１００と通信を行うための通信手段を有していない機器であってもよい。また、異物は、第１の通信部１０６の通信規格に対応していない機器であってもよい。制御部１０１は、検出部１０４で検出されたＶＳＷＲが所定値以上変化した場合、異物を検出する。
【００２４】
整合回路１０５は、給電アンテナ１０７の共振周波数を設定する回路と、電力生成部１０３と給電アンテナ１０７との間のインピーダンスマッチングを行うための回路とを含む。
【００２５】
給電装置１００が給電アンテナ１０７を介して通信電力及び所定の電力のいずれか一つを出力する場合、制御部１０１は、給電アンテナ１０７の共振周波数を所定の周波数ｆに設定するように整合回路１０５を制御する。所定の周波数ｆは、例えば、１３．５６ＭＨｚである。また、所定の周波数ｆは、６．７８ＭＨｚであってもよく、第１の通信部１０６の通信規格に規定されている周波数であってもよい。
【００２６】
第１の通信部１０６は、例えば、ＮＦＣ（Ｎｅａｒ  Ｆｉｅｌｄ  Ｃｏｍｍｕｎｉｃａｔｉｏｎ）フォーラムによって規定されているＮＦＣ規格に基づいて、無線通信を行う。また、第１の通信部１０６の通信規格は、ＩＳＯ／ＩＥＣ  １８０９２規格であってもよく、ＩＳＯ／ＩＥＣ  １４４４３規格であってもよく、ＩＳＯ／ＩＥＣ  ２１４８１規格であってもよい。第１の通信部１０６は、通信電力が給電アンテナ１０７から出力されている場合、給電アンテナ１０７を介して電子機器２００と無線給電を行うためのデータの送受信を行うことができる。しかし、所定の電力が給電アンテナ１０７から出力されている期間において、第１の通信部１０６は、給電アンテナ１０７を介して電子機器２００と通信を行わないものとする。所定の電力が給電アンテナ１０７から出力されている期間を以下「所定の時間」と呼ぶ。所定の時間は、電子機器２００から取得したデータに基づいて、制御部１０１によって設定される。
【００２７】
第１の通信部１０６と電子機器２００との間で送受信するデータは、ＮＤＥＦ（ＮＦＣ  Ｄａｔａ  Ｅｘｃｈａｎｇｅ  Ｆｏｒｍａｔ）に対応するデータである。
【００２８】
第１の通信部１０６は、電子機器２００にＮＤＥＦに対応するデータを送信する場合、電力生成部１０３から供給される通信電力にデータを重畳する処理を行う。データが重畳された通信電力は、給電アンテナ１０７を介して電子機器２００に送信される。
【００２９】
第１の通信部１０６が、電子機器２００からＮＤＥＦに対応するデータを受信する場合、給電アンテナ１０７に流れる電流を検出し、この電流の検出結果に応じて、電子機器２００からデータを受信する。これは、電子機器２００が給電装置１００にＮＤＥＦに対応するデータを送信する場合に、電子機器２００の内部の負荷を変動させることによって、データの送信を行うからである。電子機器２００の内部の負荷が変化した場合、給電アンテナ１０７に流れる電流を変化するので、第１の通信部１０６は、給電アンテナ１０７に流れる電流を検出することで、電子機器２００からＮＤＥＦに対応するデータを受信することができる。
【００３０】
なお、第１の通信部１０６は、ＮＦＣ規格に規定されているリーダライタとして動作するものとする。
【００３１】
給電アンテナ１０７は、通信電力及び所定の電力のいずれか一つを電子機器２００に出力するためのアンテナである。また、給電アンテナ１０７は、第１の通信部１０６がＮＦＣ規格を用いた無線通信を電子機器２００と行うために用いられる。
【００３２】
メモリ１０８は、給電装置１００を制御するためのコンピュータプログラムを記録する。さらに、メモリ１０８は、給電装置１００の識別データ、給電装置１００に関する給電パラメータや給電を制御するためのフラグ等を記録する。また、メモリ１０８は、電子機器２００から第１の通信部１０６及び第２の通信部１１３の少なくとも一つが取得したデータを記録する。
【００３３】
表示部１０９は、メモリ１０８及び第２の通信部１１３から供給される映像データを表示する。
【００３４】
操作部１１０は、給電装置１００を操作するためのユーザインターフェースを提供する。操作部１１０は、給電装置１００を操作するためのボタン、スイッチやタッチパネル等を有する。制御部１０１は、操作部１１０を介して入力された入力信号に従って給電装置１００を制御する。
【００３５】
電流検出部１１１は、給電アンテナ１０７に流れる電流を検出し、検出した電流を示すデータを制御部１０１に供給する。制御部１０１は、電流検出部１１１から供給された電流のデータを用いて、異物の存在を検出する。制御部１０１は、電流検出部１１１で検出された電流が所定の電流以上変化した場合、異物を検出する。
【００３６】
温度検出部１１２は、給電装置１００の温度を検出し、検出した温度を示すデータを制御部１０１に供給する。制御部１０１は、温度検出部１１２から供給された温度のデータを用いて、異物の存在を検出する。なお、温度検出部１１２によって検出される給電装置１００の温度は、給電装置１００内部の温度であってもよく、給電装置１００の表面の温度であってもよい。制御部１０１は、温度検出部１１２で検出された温度が所定の温度以上変化した場合、異物を検出する。
【００３７】
第２の通信部１１３は、第１の通信部１０６の通信規格と異なる通信規格に基づいて、電子機器２００と無線通信を行う。第２の通信部１１３の通信規格は、例えば、無線ＬＡＮ（Ｗｉｒｅｌｅｓｓ  Ｌｏｃａｌ  Ａｒｅａ  Ｎｅｔｗｏｒｋ）規格やＢｌｕｅｔｏｏｔｈ（登録商標）規格である。第２の通信部１１３は、給電装置１００と電子機器２００との間で映像データ、音声データ及びコマンドの少なくとも一つを含むデータを送信したり受信することができる。
【００３８】
給電装置１００は、無線により電力を電子機器２００に供給するようにした。しかし、「無線」を「非接触」や「無接点」と言い換えてもよいものとする。
【００３９】
次に、図３を参照して、電子機器２００の構成の一例について説明を行う。電子機器２００は、制御部２０１、受電部２０２、電力検出部２０７、レギュレータ２０８、負荷部２０９、充電部２１０、電池２１１、温度検出部２１２、メモリ２１３、操作部２１４及び第２の通信部２１５を有する。受電部２０２には、受電アンテナ２０３、スイッチ（切替部）２２０、整合回路２０４、整流平滑回路２０５、及び第１の通信部２０６が含まれる。
【００４０】
制御部２０１は、メモリ２１３に記録されているコンピュータプログラムを実行することによって、電子機器２００を制御する。制御部２０１は、例えば、ＣＰＵやＭＰＵを含む。なお、制御部２０１は、ハードウェアにより構成されるものとする。また、制御部２０１は、タイマー２０１ａを有する。
【００４１】
受電部２０２は、所定の給電方法に対応し、給電装置１００から電力を無線により受け取るために用いられる。
【００４２】
受電アンテナ２０３は、給電装置１００から供給される電力を受け取るためのアンテナである。また、受電アンテナ２０３は、第１の通信部２０６がＮＦＣ規格を用いた無線通信を給電装置１００と行うために用いられる。受電アンテナ２０３を介して給電装置１００から電子機器２００が受け取った電力は、整合回路２０４を介して整流平滑回路２０５に供給される。
【００４３】
整合回路２０４は、受電アンテナ２０３の共振周波数を設定する回路を含む。制御部２０１は、整合回路２０４を制御することによって受電アンテナ２０３の共振周波数を設定することができる。
【００４４】
整流平滑回路２０５は、受電アンテナ２０３によって受電された電力から直流電力を生成する。さらに、整流平滑回路２０５は、生成した直流電力を電力検出部２０７を介してレギュレータ２０８に供給する。整流平滑回路２０５は、受電アンテナ２０３によって受電された電力にデータが重畳されている場合、受電アンテナ２０３によって受電された電力から取り除かれたデータを第１の通信部２０６に供給する。
【００４５】
スイッチ２２０は、受電アンテナ２０３と、整合回路２０４、整流平滑回路２０５及び第１の通信部２０６との間を接続したり、切断するためのスイッチである。スイッチ２２０は、制御部２０１によって制御される。
【００４６】
制御部２０１によってスイッチ２２０がオンにされた場合、受電アンテナ２０３と、整合回路２０４、整流平滑回路２０５及び第１の通信部２０６との間は接続される。スイッチ２２０がオンである場合、受電アンテナ２０３によって給電装置１００から受信された電力は整合回路２０４を介して整流平滑回路２０５に供給される。このため、第１の通信部２０６は、給電装置１００からデータを受信することができ、整流平滑回路２０５は、給電装置１００から受け取った電力から生成した直流電力をレギュレータ２０８に供給することができる。
【００４７】
制御部２０１によってスイッチ２２０がオフにされた場合、受電アンテナ２０３と、整合回路２０４、整流平滑回路２０５及び第１の通信部２０６との間は接続されない。スイッチ２２０がオフである場合、受電アンテナ２０３によって給電装置１００から受信された電力は整合回路２０４を介して整流平滑回路２０５に供給されない。このため、第１の通信部２０６は、給電装置１００からデータを受信することもできず、整流平滑回路２０５は、給電装置１００から受け取った電力から生成した直流電力をレギュレータ２０８に供給することもできない。スイッチ２２０がオフである場合、受電アンテナ２０３と電池２１１とは接続されないので、検出部１０４及び電流検出部１１１は、電池２１１の残容量の変化の影響を受けずに正確な異物の検出を行うことができる。スイッチ２２０がオフである場合、受電アンテナ２０３と充電部２１１及び負荷部２０９とは接続されないので、検出部１０４及び電流検出部１１１は、電子機器２００の動作の変化や負荷の変化等の影響を受けずに、正確な異物の検出を行うことができる。なお、スイッチ２２０がオフである場合であっても、制御部２０１には、電池２１１から放電された電力及び受電アンテナ２０３によって受電された電力の少なくとも一つが供給される。
【００４８】
第１の通信部２０６は、第１の通信部１０６と同一の通信規格に基づいて、給電装置１００と通信を行う。第１の通信部２０６は、メモリ２０６ａを有する。メモリ２０６ａには、ＷＰＴ（Ｗｉｒｅｌｅｓｓ  Ｐｏｗｅｒ  Ｔｒａｎｓｆｅｒ）用ＲＴＤ（Ｒｅｃｏｒｄ  Ｔｙｐｅ  Ｄｅｆｉｎｉｔｏｎ）データ４００が記録されている。ＷＰＴ用ＲＴＤデータ４００には、ＮＤＥＦに対応するデータが複数格納されている。ＷＰＴ用ＲＴＤデータ４００には、給電装置１００と電子機器２００との間で無線給電を行うために必要なデータが格納される。
【００４９】
ＷＰＴ用ＲＴＤデータ４００には、少なくとも無線給電の認証を給電装置１００と行うために用いられる認証データが格納されている。認証データには、レコードタイプ名、電子機器２００が対応している給電方法や給電の制御プロトコルを示すデータや電子機器２００の識別データ、電子機器２００の受電能力データ、電子機器２００が持っているタグの種類を示すデータ等が含まれる。レコードタイプ名とは、ＷＰＴ用ＲＴＤデータ４００に格納されているデータの内容や構造を識別するためのレコードタイプ（ｒｅｃｏｒｄ  ｔｙｐｅ）を示すデータである。レコードタイプ名（ｒｅｃｏｒｄ  ｔｙｐｅ  ｎａｍｅ）は、ＷＰＴ用ＲＴＤデータ４００を識別するためのデータである。受電能力データは、電子機器２００の受電能力を示すデータであり、例えば、電子機器２００の受電可能な電力の最大値を示す。
【００５０】
ＷＰＴ用ＲＴＤデータ４００には、さらに受電ステータスデータや給電ステータスデータが格納されている。受電ステータスデータには、電子機器２００の状態を示すデータが含まれる。例えば、受電ステータスデータには、給電装置１００に要求する要求電力の値、電子機器２００が給電装置１００から受け取った電力の値、電池２１１の残容量や電池２１１の充電に関するデータ、電子機器２００のエラーに関するエラーデータ等が含まれる。エラーデータには、電子機器２００にエラーが発生しているか否かを示すデータと、電子機器２００に発生しているエラーの種類を示すデータとが含まれる。受電ステータスデータには、電子機器２００が異物検出処理をサポートしているか否かを示す情報がさらに含まれていても良い。
【００５１】
給電ステータスデータには、給電装置１００の状態を示すデータが含まれる。例えば、給電ステータスデータには、給電装置１００の識別データ、給電装置１００が電子機器２００への所定の電力の伝送を開始するか否かを示すデータ、給電装置１００で設定された給電パラメータ及び異物検出処理を行うか否かを示す情報等が含まれる。第１の通信部２０６は、整流平滑回路２０５から供給されたデータを解析する。その後、第１の通信部２０６は、データの解析結果を用いて、ＷＰＴ用ＲＴＤデータ４００から読み出したデータを給電装置１００に送信したり、給電装置１００から受信したデータをＷＰＴ用ＲＴＤデータ４００に書き込んだりする。さらに、第１の通信部２０６は、整流平滑回路２０５から供給されたデータに対応する応答データを給電装置１００に送信する。
【００５２】
第１の通信部２０６は、ＷＰＴ用ＲＴＤデータ４００から読み出したデータや応答データを給電装置１００に送信するために、第１の通信部２０６内部の負荷を変動させる処理を行う。
【００５３】
電子機器２００は、ＮＦＣ規格に規定されているタグを有する。図４を参照し、電子機器２００が有するタグについて説明を行う。制御部２０１は、不図示の内部バスインターフェースを介してＷＰＴ用ＲＴＤデータ４００に格納されているデータを読み出すことができる。さらに、制御部２０１は、不図示の内部バスインターフェースを介してＷＰＴ用ＲＴＤデータ４００にデータを書き込むことができる。
【００５４】
制御部２０１は、例えば、ＷＰＴ用ＲＴＤデータ４００から読み出された給電ステータスデータを用いて、電子機器２００の各部を制御することができる。制御部２０１は、例えば、電子機器２００の各部から供給されるデータを用いて受電ステータスデータを定期的に検出し、検出した受電ステータスデータをＷＰＴ用ＲＴＤデータ４００に書き込むことができる。なお、電子機器２００が有するタグは、「アクティブタグ」や「ダイナミックタグ」と言い換えても良いものとする。
【００５５】
なお、給電装置１００は、第１の通信部１０６を用いてＷＰＴ用ＲＴＤデータ４００に格納されているデータを読み出すことができる。さらに、この場合、給電装置１００は、第１の通信部１０６を用いてデータをＷＰＴ用ＲＴＤデータ４００に書き込むこともできる。
【００５６】
電力検出部２０７は、受電アンテナ２０３を介して受け取った電力を検出し、検出した電力を示すデータを制御部２０１に供給する。
【００５７】
制御部２０１は、電力検出部２０７から供給された電力のデータを用いて、電子機器２００に第１のエラーが発生しているか否かを判定する。第１のエラーとは、例えば、電子機器２００の受電可能な電力の最大値よりも大きい電力を電子機器２００が給電装置１００から受け取った場合に発生するエラーである。
【００５８】
例えば、制御部２０１は、電子機器２００の受電可能な電力の最大値と、電力検出部２０７で検出された電力の値とを比較し、比較の結果を用いて、電子機器２００に第１のエラーが発生しているか否かを判定する。電力検出部２０７で検出された電力が電子機器２００の受電可能な電力の最大値よりも大きい場合、制御部２０１は、第１のエラーが電子機器２００に発生していると判定する。電力検出部２０７で検出された電力が電子機器２００の受電可能な電力の最大値以下である場合、制御部２０１は、第１のエラーが電子機器２００に発生していないと判定する。第１のエラーが電子機器２００に発生していると判定された場合、制御部２０１は、電子機器２００にエラーが発生していることを示すデータと、第１のエラーを示すデータとを含む受電ステータスデータをＷＰＴ用ＲＴＤデータ４００に書き込む。
【００５９】
さらに、制御部２０１は、電力検出部２０７から供給された電力のデータを用いて、電子機器２００に第２のエラーが発生しているか否かを判定する。第２のエラーとは、例えば、電子機器２００が給電装置１００に対して要求する要求電力に対して電子機器２００が給電装置１００から受け取った電力が足りない場合に発生するエラーである。
【００６０】
例えば、制御部２０１は、要求電力の値と、電力検出部２０７で検出された電力の値とを比較し、比較の結果を用いて、電子機器２００に第２のエラーが発生しているか否かを判定する。
【００６１】
電力検出部２０７で検出された電力の値が、要求電力の値よりも小さい場合、制御部２０１は、第２のエラーが電子機器２００に発生していると判定する。電力検出部２０７で検出された電力の値が、要求電力の値以上である場合、制御部２０１は、第２のエラーが電子機器２００に発生していないと判定する。第２のエラーが電子機器２００に発生していると判定された場合、制御部２０１は、電子機器２００にエラーが発生していることを示すデータと、第２のエラーを示すデータとを含む受電ステータスデータをＷＰＴ用ＲＴＤデータ４００に書き込む。
【００６２】
レギュレータ２０８は、制御部２０１からの指示に応じて、整流平滑回路２０５から供給される電力及び電池２１１から供給される電力の少なくとも一つを電子機器２００の各部に供給する。
【００６３】
負荷部２０９は、被写体の光学像から静止画や動画等の映像データの生成を行う撮像部や映像データの再生を行う再生部等を有する。
【００６４】
充電部２１０は、電池２１１を充電する。充電部２１０は、制御部２０１からの指示に応じて、レギュレータ２０８から供給される電力を用いて電池２１１を充電するか、電池２１１から放電される電力をレギュレータ２０８に供給するかを制御する。充電部２１０は、定期的に電池２１１の残容量を検出し、電池２１１の残容量を示すデータや電池２１１の充電に関するデータを制御部２０１に供給する。
【００６５】
電池２１１は、電子機器２００に接続可能な電池である。また、電池２１１は、充電可能な二次電池であり、例えば、リチウムイオン電池等である。なお、電池２１１は、リチウムイオン電池以外のものであっても良いものとする。
【００６６】
制御部２０１は、電子機器２００と電池２１１とが接続されているか否かに応じて、電子機器２００に第３のエラーが発生しているか否かを判定する。第３のエラーとは、例えば、電子機器２００に電池２１１が接続されていない場合に発生するエラーである。電子機器２００と電池２１１とが接続されていない場合、制御部２０１は、電子機器２００に第３のエラーが発生していると判定する。電子機器２００と電池２１１とが接続されている場合、制御部２０１は、電子機器２００に第３のエラーが発生していないと判定する。第３のエラーが電子機器２００に発生していると判定された場合、制御部２０１は、電子機器２００にエラーが発生していることを示すデータと、第３のエラーを示すデータとを含む受電ステータスデータをＷＰＴ用ＲＴＤデータ４００に書き込む。
【００６７】
温度検出部２１２は、電子機器２００の温度を検出し、検出した温度を示すデータを制御部１０１に供給する。制御部２０１は、温度検出部２１２から供給された温度のデータを用いて、電子機器２００に第４のエラーが発生しているか否かを判定する。第４のエラーとは、例えば、電子機器２００内の温度が高温になった場合に発生するエラーである。
【００６８】
制御部２０１は、設定値と、温度検出部２１２で検出された温度とを比較し、比較の結果を用いて、電子機器２００に第４のエラーが発生しているか否かを判定する。設定値は、例えば、電池２１１の充電を正常に行うために設定されている温度の上限値である。また、設定値は、例えば、受電部２０２や負荷部２０９を保護するために設定されている温度の上限値であってもよい。温度検出部２１２で検出された温度が設定値よりも高い場合、制御部２０１は、第４のエラーが電子機器２００に発生していると判定する。温度検出部２１２で検出された温度が設定値以下である場合、制御部２０１は、第４のエラーが電子機器２００に発生していないと判定する。第４のエラーが電子機器２００に発生していると判定された場合、制御部２０１は、電子機器２００にエラーが発生していることを示すデータと、第４のエラーを示すデータとを含む受電ステータスデータをＷＰＴ用ＲＴＤデータ４００に書き込む。
【００６９】
メモリ２１３は、電子機器２００を制御するコンピュータプログラム及電子機器２００に関するパラメータ等のデータを記憶する。
【００７０】
操作部２１４は、電子機器２００を操作するためのユーザインターフェースを提供する。制御部２０１は、操作部２１４を介して入力された入力信号に従って電子機器２００を制御する。
【００７１】
第２の通信部２１５は、給電装置１００と無線通信を行う。なお、第２の通信部２１５は、例えば、第２の通信部１１３と同一の通信規格に基づいて、給電装置１００と無線通信を行う。
【００７２】
（給電装置１００の状態遷移図）
実施例１における給電装置１００の状態の遷移について、図５を用いて説明する。図５において、状態５００は、不図示のＡＣ電源と給電装置１００とが接続されている状態で、かつ、給電装置１００の電源がオフである状態である。給電装置１００が状態５００の場合に、操作部１１０を用いて給電装置１００の電源がオンにされたとき、給電装置１００は、状態５０１に遷移する。
【００７３】
状態５０１において、給電装置１００は、ＷＰＴ用ＲＴＤデータを検出する処理を行う。給電装置１００が状態５０１である場合に、給電装置１００の電源がオフにされたとき、給電装置１００は、状態５００に遷移する。給電装置１００が状態５０１である場合に、給電装置１００がＷＰＴ用ＲＴＤデータを検出したとき、給電装置１００は、状態５０２に遷移する。給電装置１００が無線給電のＲＴＤを検出していない場合、給電装置１００は、ＷＰＴ用ＲＴＤデータ４００を検出するまでは、状態５０１を維持する。
【００７４】
状態５０２において、給電装置１００は、検出したＷＰＴ用ＲＴＤデータを解析する処理を行う。給電装置１００が状態５０２である場合に、ＷＰＴ用ＲＴＤデータの解析の結果、給電装置１００と電子機器２００との無線給電の認証が成功したとき、給電装置１００は、状態５０３に遷移する。給電装置１００が状態５０２である場合に、無線給電に関するエラーが発生した場合、給電装置１００は、状態５０１に遷移する。無線給電に関するエラーとは、例えば、給電装置１００と電子機器２００との通信に関する通信エラー、電子機器２００に関するエラー、給電装置１００と電子機器２００との無線給電の認証に関する認証エラー等である。
【００７５】
状態５０３において、給電装置１００は、無線給電を行うために必要なステータスデータを電子機器２００と交換する処理を行う。給電装置１００が状態５０３である場合、給電装置１００は、電子機器２００から受電ステータスデータを受信し、電子機器２００に給電ステータスデータを送信する。
【００７６】
給電装置１００が状態５０３である場合に、ステータスデータの交換が完了し、かつ、異物検出処理を行うと判定されたとき、給電装置１００は、状態５０４に遷移する。なお、異物検出処理については、後述する。給電装置１００が状態５０３である場合に、ステータスデータの交換が完了し、かつ、異物検出処理を行わないと判定されたとき、給電装置１００は、状態５０５に遷移する。
【００７７】
給電装置１００が状態５０３である場合に、無線給電に関するエラーが発生した場合、給電装置１００は、状態５０１に遷移する。給電装置１００が状態５０３である場合に、電子機器２００の充電が完了したことが検出された場合、給電装置１００は、状態５０１に遷移する。
【００７８】
状態５０４において、給電装置１００は、異物を検出するための異物検出処理を行う。状態５０４において、異物検出処理が行われた後、異物が検出された場合、給電装置１００は、状態５０３に遷移する。状態５０４において、異物検出処理が行われた後、異物が検出されなかった場合、給電装置１００は、状態５０５に遷移する。なお、異物検出処理については後述する。
【００７９】
状態５０５において、給電装置１００は、所定の電力を電子機器２００に供給するための給電処理を行う。給電装置１００が状態５０４である場合に、無線給電に関するエラーが発生したとき、給電装置１００は、状態５０４から状態５０３に遷移する。給電装置１００が状態５０４である場合に、所定の電力の出力が開始されてから所定の時間が経過した後、給電装置１００は、状態５０３に遷移する。
【００８０】
（制御処理）
次に、実施例１において、給電装置１００の無線給電を制御するための制御処理について、図６のフローチャートを用いて説明する。制御処理は、制御部１０１がメモリ１０８に格納されているコンピュータプログラムを実行することにより実現することができる。
【００８１】
Ｓ６０１において、制御部１０１は、給電装置１００の電源がオンであるか否かを検出する。給電装置１００の電源がオンであることが検出された場合（Ｓ６０１でＹｅｓ）、本フローチャートは、Ｓ６０２に進む。給電装置１００の電源がオンでないことが検出された場合（Ｓ６０１でＮｏ）、本フローチャートは終了する。
【００８２】
Ｓ６０２において、制御部１０１は、後述の認証処理を行う。認証処理が行われた場合、本フローチャートは、Ｓ６０３に進む。
【００８３】
Ｓ６０３において、制御部１０１は、給電装置１００と電子機器２００との無線給電の認証が成功したか否かを判定する。Ｓ６０２で認証処理が行われた場合、メモリ１０８に認証成功フラグ及び認証失敗フラグのいずれか一つが設定される。メモリ１０８に認証成功フラグが設定されている場合、制御部１０１は、無線給電の認証が成功したと判定し（Ｓ６０３でＹｅｓ）、本フローチャートはＳ６０４に進む。メモリ１０８に認証失敗フラグが設定されている場合、制御部１０１は、無線給電の認証が失敗したと判定し（Ｓ６０３でＮｏ）、本フローチャートはＳ６０８に進む。
【００８４】
Ｓ６０４において、制御部１０１は、後述のステータスデータ交換処理を行う。ステータスデータ交換処理が行われた場合、本フローチャートは、Ｓ６０５に進む。
【００８５】
Ｓ６０５において、制御部１０１は、給電装置１００が電子機器２００への給電を行うことができるか否かを判定する。Ｓ６０４でステータスデータ交換処理が行われた場合、メモリ１０８に給電可能フラグ及び給電不可フラグのいずれか一つが設定される。メモリ１０８に給電可能フラグが設定されている場合、制御部１０１は、給電装置１００が電子機器２００への給電を行うことができると判定し（Ｓ６０５でＹｅｓ）、本フローチャートはＳ６０６に進む。メモリ１０８に給電不可フラグが設定されている場合、制御部１０１は、給電装置１００が電子機器２００への給電を行うことができないと判定し（Ｓ６０５でＮｏ）、本フローチャートはＳ６０８に進む。
【００８６】
Ｓ６０６において、制御部１０１は、後述の給電処理を行う。給電処理が行われた場合、本フローチャートは、Ｓ６０７に進む。
【００８７】
Ｓ６０７において、制御部１０１は、給電装置１００が電子機器２００への給電を継続して行うか否かを判定する。Ｓ６０６で給電処理が行われた場合、メモリ１０８に給電継続フラグ及び給電停止フラグのいずれか一つが設定される。メモリ１０８に給電継続フラグが設定されている場合、制御部１０１は、給電装置１００が電子機器２００への給電を継続して行うと判定し（Ｓ６０７でＹｅｓ）、本フローチャートはＳ６０４に戻る。メモリ１０８に給電停止フラグが設定されている場合、制御部１０１は、給電装置１００が電子機器２００への給電を継続して行わないと判定し（Ｓ６０７でＮｏ）、本フローチャートはＳ６０８に進む。
【００８８】
Ｓ６０８において、制御部１０１は、メモリ１０８に格納されている給電パラメータや給電の制御に関するフラグ等を消去する。この場合、本フローチャートは、Ｓ６０１に戻る。
【００８９】
（認証処理）
次に、実施例１において、図６のＳ６０２において、制御部１０１によって行われる認証処理について、図７のフローチャートを用いて説明する。認証処理は、制御部１０１がメモリ１０８に格納されているコンピュータプログラムを実行することにより実現することができる。
【００９０】
Ｓ７０１において、制御部１０１は、通信電力を出力するように給電部１０２を制御する。なお、制御部１０１は、所定の電力を出力する処理を開始するまで、通信電力が給電アンテナ１０７を介して出力されるようにする。この場合、本フローチャートは、Ｓ７０２に進む。
【００９１】
Ｓ７０２において、制御部１０１は、認証データを要求するデータを送信するように第１の通信部１０６を制御する。この場合、本フローチャートは、Ｓ７０３に進む。
【００９２】
Ｓ７０３において、制御部１０１は、ＷＰＴ用ＲＴＤデータ４００を検出したか否かを判定する。第１の通信部１０６が電子機器２００から認証データを受信した場合、制御部１０１は、電子機器２００の認証データから電子機器２００のレコードタイプ名を取得する。その後、制御部１０１は、電子機器２００のレコードタイプ名に基づいて、ＷＰＴ用ＲＴＤデータ４００を検出したか否かを判定する。ＷＰＴ用ＲＴＤデータ４００が検出された場合（Ｓ７０３でＹｅｓ）、本フローチャートはＳ７０４に進む。ＷＰＴ用ＲＴＤデータ４００が検出されていない場合（Ｓ７０３でＮｏ）、本フローチャートはＳ７０２に戻る。なお、第１の通信部１０６が電子機器２００から認証データを受信していない場合も、本フローチャートはＳ７０２に戻る。
【００９３】
Ｓ７０４において、制御部１０１は、電子機器２００の認証データに含まれるデータを確認することで、電子機器２００のＷＰＴ用ＲＴＤデータ４００を解析する。この場合、本フローチャートはＳ７０５に進む。
【００９４】
Ｓ７０５において、制御部１０１は、Ｓ７０４の解析結果を用いて、電子機器２００の認証データに通信エラーが発生しているか否かを検出する。電子機器２００の認証データに通信エラーが検出された場合（Ｓ７０５でＹｅｓ）、本フローチャートは、Ｓ７０６に進む。電子機器２００の認証データに通信エラーが検出されていない場合（Ｓ７０５でＮｏ）、本フローチャートは、Ｓ７０８に進む。
【００９５】
Ｓ７０６において、制御部１０１は、給電装置１００と電子機器２００との間における通信のエラーが検出されたことを示すデータを表示部１０９に表示させる。この場合、本フローチャートは、Ｓ７０７に進む。
【００９６】
Ｓ７０７において、制御部１０１は、メモリ１０８に認証失敗フラグを設定する。この場合、本フローチャートは終了し、図６のＳ６０３に進む。
【００９７】
Ｓ７０８において、制御部１０１は、Ｓ７０４の解析結果を用いて、電子機器２００が給電装置１００に対応しているか否かを判定する。
【００９８】
例えば、制御部１０１は、給電装置１００が対応している給電方法と電子機器２００が対応している給電方法とが一致している場合、電子機器２００が給電装置１００に対応していると判定する。また、制御部１０１は、給電装置１００が対応している給電方法と電子機器２００が対応している給電方法とが一致していない場合、電子機器２００が給電装置１００に対応していないと判定する。
【００９９】
また、例えば、制御部１０１は、給電装置１００が対応している給電の制御プロトコルと電子機器２００が対応している給電の制御プロトコルとが一致している場合、電子機器２００が給電装置１００に対応していると判定する。また、給電装置１００が対応している給電の制御プロトコルと電子機器２００が対応している給電の制御プロトコルとが一致していない場合、電子機器２００が給電装置１００に対応していないと判定する。
【０１００】
電子機器２００が給電装置１００に対応していない場合（Ｓ７０８でＮｏ）、本フローチャートは、Ｓ７０９に進む。電子機器２００が給電装置１００に対応している場合（Ｓ７０８でＹｅｓ）、本フローチャートは、Ｓ７１０に進む。
【０１０１】
Ｓ７０９において、制御部１０１は、給電装置１００と電子機器２００との間における認証のエラーが検出されたことを示すデータを表示部１０９に表示させる。この場合、本フローチャートは、Ｓ７０７に進む。
【０１０２】
Ｓ７１０において、制御部１０１は、メモリ１０８に認証成功フラグを設定する。この場合、本フローチャートは終了し、図６のＳ６０３に進む。
【０１０３】
なお、Ｓ７０１とＳ７０２の間に、制御部１０１は、ＮＦＣ規格のＮＦＣデジタルプロトコル（ＮＦＣ  Ｄｉｇｉｔａｌ  Ｐｒｏｔｏｃｏｌ）において規定されている処理を行ってもよい。
【０１０４】
（ステータスデータ交換処理）
次に、実施例１において、図６のＳ６０４において、制御部１０１によって行われるステータスデータ交換処理について、図８のフローチャートを用いて説明する。ステータスデータ交換処理は、制御部１０１がメモリ１０８に格納されているコンピュータプログラムを実行することにより実現することができる。
【０１０５】
Ｓ８０１において、制御部１０１は、受電ステータスデータを要求するデータを送信するように第１の通信部１０６を制御する。この場合、本フローチャートは、Ｓ８０２に進む。
【０１０６】
Ｓ８０２において、制御部１０１は、電子機器２００に受電ステータスデータの要求が行われてから一定の時間が経過するまでの間に、第１の通信部１０６が電子機器２００から受電ステータスデータを受信したか否かを判定する。第１の通信部１０６が電子機器２００から受電ステータスデータを受信したと判定された場合（Ｓ８０２でＹｅｓ）、本フローチャートは、Ｓ８０５に進む。受電ステータスデータの要求が行われてから一定の時間が経過した場合であっても、第１の通信部１０６が電子機器２００から受電ステータスデータを受信していないと判定された場合（Ｓ８０２でＮｏ）、本フローチャートは、Ｓ８０３に進む。
【０１０７】
Ｓ８０３において、制御部１０１は、Ｓ７０６と同様に、通信のエラーが検出されたことを示すデータを表示部１０９に表示させる。この場合、本フローチャートは、Ｓ８０４に進む。
【０１０８】
Ｓ８０４において、制御部１０１は、メモリ１０８に給電不可フラグを設定する。この場合、本フローチャートは終了し、図６のＳ６０５に進む。
【０１０９】
Ｓ８０５において、制御部１０１は、第１の通信部１０６が受信した受電ステータスデータを用いて、電子機器２００の充電が完了したか否かを判定する。電子機器２００の充電が完了したと判定された場合（Ｓ８０５でＹｅｓ）、本フローチャートは、Ｓ８０６に進む。電子機器２００の充電が完了していないと判定された場合（Ｓ８０５でＮｏ）、本フローチャートは、Ｓ８０７に進む。
【０１１０】
Ｓ８０６において、制御部１０１は、電子機器２００の充電が完了したことを示すデータを表示部１０９に表示させる。また、制御部１０１は、電池２１１が満充電であることを示すデータを表示部１０９に表示させてもよい。この場合、本フローチャートは、Ｓ８０４に進む。
【０１１１】
Ｓ８０７において、制御部１０１は、第１の通信部１０６が受信した受電ステータスデータを用いて、電子機器２００にエラーが発生しているか否かを判定する。例えば、制御部１０１は、電子機器２００の受電ステータスデータからエラーデータを検出し、エラーデータを解析することで、電子機器２００にエラーが発生しているか否かを判定する。
【０１１２】
電子機器２００にエラーが発生していると判定された場合（Ｓ８０７でＹｅｓ）、本フローチャートは、Ｓ８０８に進む。電子機器２００にエラーが発生していないと判定された場合（Ｓ８０７でＮｏ）、本フローチャートは、Ｓ８０９に進む。
【０１１３】
Ｓ８０８において、制御部１０１は、電子機器２００にエラーが発生したことを示すデータを表示部１０９に表示させる。さらに、制御部１０１は、電子機器２００に発生したエラーの種類を示すデータを表示部１０９に表示させてもよい。
【０１１４】
この場合、本フローチャートは、Ｓ８０４に進む。
【０１１５】
Ｓ８０９において、制御部１０１は、第１の通信部１０６が受信した受電ステータスデータを用いて、給電パラメータを設定する。給電パラメータとは、所定の電力の値及び所定の時間である。例えば、制御部１０１は、電子機器２００から要求されている電力と、給電装置１００から電子機器２００への給電効率に基づいて、所定の電力の値及び所定の時間を設定する。給電装置１００から電子機器２００への給電効率とは、給電装置１００が出力する電力に対して電子機器２００が受け取る電力の割合を示す。また、例えば、制御部１０１は、電池２１１の残容量に基づいて、所定の電力の値及び所定の時間を設定してもよい。制御部１０１は、設定した給電パラメータをメモリ１０８に格納する。この場合、本フローチャートは、Ｓ８１０に進む。
【０１１６】
Ｓ８１０において、制御部１０１は、異物検出処理を行う必要があるか否かを判定する。異物検出処理を行う必要があると判定された場合（Ｓ８１０でＹｅｓ）、本フローチャートは、Ｓ８１１に進む。異物検出処理を行う必要がないと判定された場合（Ｓ８１０でＮｏ）、本フローチャートは、Ｓ８１６に進む。
【０１１７】
例えば、制御部１０１は、Ｓ８０９において設定された所定の電力の大きさに応じて、異物検出処理を行う必要があるか否かを判定する。Ｓ８０９において設定された所定の電力が第１の値よりも大きい場合、制御部１０１は、異物検出処理を行う必要があると判定する。これは、Ｓ８０９において設定された所定の電力が第１の値よりも大きい場合、給電アンテナ１０７から出力される所定の電力が異物に影響を与える可能性があるからである。また、Ｓ８０９において設定された所定の電力が第１の値以下である場合、制御部１０１は、異物検出処理を行う必要はないと判定する。これは、Ｓ８０９において設定された所定の電力が第１の値以下である場合、給電アンテナ１０７から出力される所定の電力による異物への影響が小さいからである。第１の値とは、例えば、１Ｗであるものとする。しかしながら、第１の値は、１Ｗに限られず、異物に影響を与えると予測される電力の大きさに応じて設定されるものであれば良い。
【０１１８】
また、例えば、制御部１０１は、Ｓ８０９において設定された所定の時間の長さに応じて、異物検出処理を行う必要があるか否かを判定する。Ｓ８０９において設定された所定の時間が第２の値以上である場合、制御部１０１は、異物検出処理を行う必要があると判定する。これは、Ｓ８０９において設定された所定の時間が第２の値以上である場合、所定の時間が経過するまでの間に給電アンテナ１０７から出力される所定の電力が異物に影響を与える可能性があるからである。また、Ｓ８０９において設定された所定の時間が第２の値以上でない場合、制御部１０１は、異物検出処理を行う必要はないと判定する。これは、Ｓ８０９において設定された所定の時間が第２の値以上でない場合、所定の時間が経過するまでの間に給電アンテナ１０７から出力される所定の電力による異物への影響が小さいからである。第２の値とは、例えば、６０秒であるものとする。しかしながら、第２の値は、６０秒に限られず、異物に影響を与えると予測される給電の時間の長さに応じて設定されるものであれば良い。
【０１１９】
また、例えば、制御部１０１は、Ｓ８０２において電子機器２００から取得された受電ステータスデータから電池２１１の残容量を検出し、電池２１１の残容量に応じて、異物検出処理を行う必要があるか否かを判定する。電池２１１の残容量が第３の値以上である場合、制御部１０１は、異物検出処理を行う必要はないと判定する。これは、電池２１１の残容量が第３の値以上である場合、所定の時間が短くなり、所定の電力の大きさが小さくなるので、給電アンテナ１０７から出力される電力による異物への影響が小さいからである。また、電池２１１の残容量が第３の値以上でない場合、制御部１０１は、異物検出処理を行う必要があると判定する。これは、電池２１１の残容量が第３の値以上でない場合、所定の時間が長くなり、所定の電力が大きくなるので、給電アンテナ１０７から出力される電力が異物に影響を与える可能性があるからである。第３の値とは、例えば、電池２１１の総容量の９０％の容量に対応する値であるものとする。しかしながら、第３の値は、電池２１１の総容量の９０％の容量に対応する値に限られないものとする。
【０１２０】
また、制御部１０１は、Ｓ８０２において電子機器２００から取得された受電ステータスデータから電子機器２００からの要求電力を検出し、要求電力が増加したか否かに応じて、異物検出処理を行う必要があるか否かを判定する。要求電力が増加した場合、制御部１０１は、異物検出処理を行う必要があると判定する。これは、要求電力が増加した場合、給電アンテナ１０７から出力される所定の電力の大きさが大きくなることによって異物への影響が大きくなるからである。また、要求電力が増加していない場合、制御部１０１は、異物検出処理を行う必要はないと判定する。これは、要求電力が増加していない場合、給電アンテナ１０７から出力される所定の電力による異物への影響は大きくならないからである。しかしながら、要求電力が増加した場合であっても、要求電力の増加分が第４の値以上でない場合、制御部１０１は、異物検出処理を行う必要はないと判定しても良い。この場合、要求電力の増加分が第４の値以上である場合、制御部１０１は、異物検出処理を行う必要があると判定する。なお、第４の値は、１Ｗであるものとする。しかしながら、第４の値は、１Ｗに限られず、異物に影響を与えると予測される電力の大きさに応じて設定されるものであれば良い。
【０１２１】
Ｓ８１１において、制御部１０１は、メモリ１０８に異物検出処理実行フラグを設定する。この場合、本フローチャートはＳ８１２に進む。
【０１２２】
Ｓ８１２において、制御部１０１は、異物検出処理を行うことを示す情報及びＳ８０９で設定された給電パラメータを含む給電ステータスデータを第１の通信部１０６を制御する。この場合、本フローチャートは、Ｓ８１３に進む。なお、異物検出処理を行うことを示す情報には、異物の検出方法を示す情報及び検出時間を示す情報が含まれる。なお、検出時間とは、異物検出処理が行われる時間である。異物の検出方法を示す情報には、例えば、ＶＳＷＲを使って異物を検出することを示す情報、給電アンテナ１０７に流れる電流を使って異物を検出することを示す情報及び給電装置１００の温度を使って異物を検出することを示す情報の少なくとも一つが含まれる。
【０１２３】
Ｓ８１３において、制御部１０１は、第１の通信部１０６によって電子機器２００から応答データが受信されたか否かを判定する。第１の通信部１０６によって電子機器２００から応答データが受信されていない場合（Ｓ８１３でＮｏ）、本フローチャートは、Ｓ８１４に進む。第１の通信部１０６によって電子機器２００から応答データが受信された場合（Ｓ８１３でＹｅｓ）、本フローチャートは、Ｓ８１５に進む。Ｓ８１４において、制御部１０１は、Ｓ８０３と同様に、通信のエラーが検出されたことを示すデータを表示部１０９に表示させる。この場合、本フローチャートは、Ｓ８０４に進む。
【０１２４】
Ｓ８１５において、制御部１０１は、メモリ１０８に給電可能フラグを設定する。この場合、本フローチャートは終了し、図６のＳ６０５に進む。
【０１２５】
Ｓ８１６において、制御部１０１は、メモリ１０８に異物検出処理実行フラグをリセットする。この場合、本フローチャートはＳ８１７に進む。
【０１２６】
Ｓ８１７において、制御部１０１は、異物検出処理を行わないことを示す情報及びＳ８０９で設定された給電パラメータを含む給電ステータスデータを第１の通信部１０６を制御する。この場合、本フローチャートは、Ｓ８１３に進む。
【０１２７】
給電装置１００から異物検出処理を行うことを示す給電ステータスデータを電子機器２００が受信した場合に、第１の通信部２０６は、電子機器２００が異物検出処理に対応している否かに応じて、応答データを給電装置１００に送信する。異物検出処理を行うことを示す給電ステータスデータに含まれる異物検出方法を電子機器２００がサポートしている場合、第１の通信部２０６は、異物検出処理をサポートしていることを示す情報を給電装置１００に送信する。異物検出処理を行うことを示す給電ステータスデータに含まれる異物検出方法を電子機器２００がサポートしていない場合、第１の通信部２０６は、異物検出処理をサポートしていないことを示す情報を給電装置１００に送信する。給電装置１００は、異物検出処理を行うことを示す給電ステータスデータを電子機器２００に送信した後、異物検出処理をサポートしていないことを示す情報を電子機器２００から受信した場合、Ｓ８１５の処理を行うことなく、Ｓ８０４の処理を行うようにする。給電装置１００は、異物検出処理を行うことを示す給電ステータスデータを電子機器２００に送信した後、異物検出処理をサポートしていることを示す情報を電子機器２００から受信した場合、Ｓ８１５の処理を行う。
【０１２８】
（給電処理）
次に、実施例１において、図６のＳ６０６において、制御部１０１によって行われる給電処理について、図９のフローチャートを用いて説明する。給電処理は、制御部１０１がメモリ１０８に格納されているコンピュータプログラムを実行することにより実現することができる。
【０１２９】
Ｓ９０１において、制御部１０１は、メモリ１０８に異物検出処理実行フラグが設定されているか否かによって、異物検出処理を行うか否かを判定する。メモリ１０８に格納されている異物検出処理実行フラグが設定されている場合（Ｓ９０１でＹｅｓ）、制御部１０１は、異物検出処理を行うと判定する。この場合、本フローチャートは、Ｓ９０２に進む。メモリ１０８に格納されている異物検出処理実行フラグがリセットされた場合（Ｓ９０１でＮｏ）、制御部１０１は、異物検出処理を行わないと判定する。この場合、本フローチャートは、Ｓ９１７に進む。
【０１３０】
Ｓ９０２において、制御部１０１は、異物検出処理を行う。電子機器２００に送信された異物の検出方法を示す情報にＶＳＷＲを使って異物を検出することを示す情報が含まれている場合、異物検出処理は、検出部１０４から供給されたＶＳＷＲのデータを用いて、異物を検出する処理となる。電子機器２００に送信された異物の検出方法を示す情報に給電アンテナ１０７に流れる電流を使って異物を検出することを示す情報が含まれている場合、異物検出処理は、電流検出部１１１から供給された電流のデータを用いて、異物を検出する処理となる。電子機器２００に送信された異物の検出方法を示す情報に給電装置１００の温度を使って異物を検出することを示す情報が含まれている場合、異物検出処理は、温度検出部１１２から供給された温度のデータを用いて、異物を検出する処理となる。
【０１３１】
異物検出処理が行われた場合、本フローチャートは、Ｓ９０３に進む。なお、制御部１０１は、異物検出処理が行われてから経過した時間を測定するように、タイマー１０１ａを制御する。
【０１３２】
Ｓ９０３において、制御部１０１は、異物が検出されたか否かを判定する。異物が検出された場合（Ｓ９０３でＹｅｓ）、本フローチャートは、Ｓ９０４に進む。異物が検出されていない場合（Ｓ９０３でＮｏ）、本フローチャートは、Ｓ９１６に進む。
【０１３３】
Ｓ９０４において、制御部１０１は、給電装置１００による電力の出力を制限するように給電部１０２を制御する。Ｓ９０４において、制御部１０１は、給電アンテナ１０７から出力される電力を下げるように給電部１０２を制御しても良く、給電アンテナ１０７から電力が出力されないように給電部１０２を制御しても良い。この場合、本フローチャートは、Ｓ９０５に進む。
【０１３４】
Ｓ９０５において、制御部１０１は、通信電力を出力するように給電部１０２を制御する。この場合、本フローチャートは、Ｓ９０６に進む。
【０１３５】
Ｓ９０６において、制御部１０１は、Ｓ８０１と同様に、受電ステータスデータを要求するデータを送信するように第１の通信部１０６を制御する。この場合、本フローチャートは、Ｓ９０７に進む。
【０１３６】
Ｓ９０７において、制御部１０１は、Ｓ８０２と同様に、電子機器２００に受電ステータスデータの要求が行われてから一定の時間が経過するまでの間に、第１の通信部１０６が電子機器２００から受電ステータスデータを受信したか否かを判定する。第１の通信部１０６が電子機器２００から受電ステータスデータを受信したと判定された場合（Ｓ９０７でＹｅｓ）、本フローチャートは、Ｓ９１１に進む。受電ステータスデータの要求が行われてから一定の時間が経過した場合であっても、第１の通信部１０６が電子機器２００から受電ステータスデータを受信していないと判定された場合（Ｓ９０７でＮｏ）、本フローチャートは、Ｓ９０８に進む。
【０１３７】
第１の通信部１０６が電子機器２００から受電ステータスデータを受信していない場合（Ｓ９０７でＮｏ）、電子機器２００が所定の範囲３００から取り外された可能性がある。また、第１の通信部１０６が電子機器２００から受電ステータスデータを受信していない場合（Ｓ９０７でＮｏ）、電子機器２００の第１の通信部２０６が通信を行うことができない状態に変化した可能性がある。
【０１３８】
そこで、Ｓ９０８において、制御部１０１は、第１の警告データを表示部１０９に表示させる。第１の警告データは、例えば、第１の通信部１０６と第１の通信部２０６とによる通信が行えなくなったことにより給電装置１００が電子機器２００への所定の電力の供給を停止することをユーザに通知するためのデータである。さらに、第１の警告データは、電子機器２００に再び所定の電力を供給するために、電子機器２００を所定の範囲３００内に置くようにユーザに促すためのデータであってもよい。さらに、第１の警告データは、電子機器２００に再び所定の電力を供給するために、操作部１１０で給電装置１００を操作するようにユーザに促すためのデータであってもよい。第１の警告データが表示された場合、本フローチャートは、Ｓ９０９に進む。
【０１３９】
Ｓ９０９において、制御部１０１は、給電ステータスデータを電子機器２００に送信するように第１の通信部１０６を制御する。制御部１０１は、給電装置１００の識別データ及び電子機器２００への所定の電力の伝送を停止することを示すデータを含む給電ステータスデータを生成する。さらに、制御部１０１は、生成した給電ステータスデータを電子機器２００に送信するように第１の通信部１０６を制御する。この場合、本フローチャートは、Ｓ９１０に進む。
【０１４０】
Ｓ９１０において、制御部１０１は、メモリ１０８に給電停止フラグを設定する。この場合、本フローチャートは終了し、図６のＳ６０７に進む。
【０１４１】
Ｓ９１１において、制御部１０１は、Ｓ８０７と同様に、第１の通信部１０６が受信した受電ステータスデータを用いて、電子機器２００にエラーが発生しているか否かを判定する。電子機器２００にエラーが発生していると判定された場合（Ｓ９１１でＹｅｓ）、本フローチャートは、Ｓ９１４に進む。電子機器２００にエラーが発生していないと判定された場合（Ｓ９１１でＮｏ）、本フローチャートは、Ｓ９１２に進む。
【０１４２】
Ｓ９１２において、制御部１０１は、異物を検出したことを電子機器２００に通知するデータを送信するように第１の通信部１０６を制御する。この場合、本フローチャートは、Ｓ９１３に進む。
【０１４３】
電子機器２００にエラーが発生していないと判定された場合（Ｓ９１１でＮｏ）、所定の範囲内３００に異物が存在している可能性がある。
【０１４４】
そこで、Ｓ９１３において、制御部１０１は、第２の警告データを表示部１０９に表示させる。第２の警告データは、例えば、異物が所定の範囲３００内に存在することにより給電装置１００が電子機器２００への所定の電力の供給を停止することをユーザに通知するためのデータである。さらに、第２の警告データは、電子機器２００に再び所定の電力を供給するために、所定の範囲３００内から異物を取り除くようにユーザに促すためのデータであってもよい。さらに、第２の警告データは、電子機器２００に再び所定の電力を供給するために、操作部１１０で給電装置１００を操作するようにユーザに促すためのデータであってもよい。第２の警告データが表示された場合、本フローチャートは、Ｓ９０９に進む。
【０１４５】
Ｓ９１４において、制御部１０１は、第１の通信部１０６が受信した受電ステータスデータを用いて、電子機器２００に発生したエラーの種類を判定する。さらに、制御部１０１は、電子機器２００に発生したエラーが回復できるエラーであるか否かを判定する。例えば、電子機器２００に発生したエラーが第１のエラーである場合、制御部１０１は、電子機器２００に発生したエラーが回復できないエラーであると判定する。また、電子機器２００に発生したエラーが第２のエラーである場合、制御部１０１は、電子機器２００に発生したエラーが回復できるエラーであると判定する。また、電子機器２００に発生したエラーが第３のエラーである場合、制御部１０１は、電子機器２００に発生したエラーが回復できないエラーであると判定する。また、電子機器２００に発生したエラーが第４のエラーである場合、制御部１０１は、電子機器２００に発生したエラーが電子機器２００に発生したエラーが回復できないエラーであると判定する。
【０１４６】
電子機器２００に発生したエラーが回復できないエラーでない場合（Ｓ９１４でＮｏ）、本フローチャートはＳ９１５に進む。電子機器２００に発生したエラーが回復できるエラーである場合（Ｓ９１４でＹｅｓ）、本フローチャートはＳ９２１に進む。
【０１４７】
電子機器２００に発生したエラーが回復できないエラーでない場合（Ｓ９１４でＮｏ）、電子機器２００に給電装置１００が回復することができないエラーが発生した可能性がある。
【０１４８】
そこで、Ｓ９１５において、制御部１０１は、第３の警告データを表示部１０９に表示させる。第３の警告データは、例えば、電子機器２００にエラーが発生したことにより給電装置１００が電子機器２００への所定の電力の供給を停止することをユーザに通知するためのデータである。さらに、第３の警告データは、電子機器２００に再び所定の電力を供給するために、電子機器２００で発生したエラーを確認するようにユーザに促すためのデータであってもよい。さらに、第３の警告データは、電子機器２００に再び所定の電力を供給するために、操作部１１０で給電装置１００を操作するようにユーザに促すためのデータであってもよい。
【０１４９】
なお、電子機器２００に第３のエラーが発生していることが検出された場合、Ｓ９１５において、制御部１０１は、電子機器２００に電池を装着するようにユーザに促すための第３の警告データを表示部１０９に表示させてもよい。第３の警告データが表示された場合、本フローチャートは、Ｓ９０９に進む。
【０１５０】
Ｓ９１６において、タイマー１０１ａによって計測された時間が検出時間以上であるか否かを判定する。タイマー１０１ａによって計測された時間が検出時間以上である場合（Ｓ９１６でＹｅｓ）、制御部１０１は、異物検出処理をやめる。この場合、本フローチャートは、Ｓ９１７に進む。タイマー１０１ａによって計測された時間が検出時間以上でない場合（Ｓ９１６でＮｏ）、タイマー１０１ａによって計測された時間が検出時間以上になるまで、制御部１０１は、異物検出処理を行う。この場合、本フローチャートは、Ｓ９０２に戻る。
【０１５１】
Ｓ９１７において、制御部１０１は、所定の電力を出力するように給電部１０２を制御する。さらに、制御部１０１は、所定の電力が出力されてから経過した時間を計測するようにタイマー１０１ａを制御する。この場合、本フローチャートは、Ｓ９１８に進む。
【０１５２】
Ｓ９１８において、制御部１０１は、タイマー１０１ａによって計測された時間が所定の時間以上か否かを判定する。タイマー１０１ａによって計測された時間が所定の時間以上である場合（Ｓ９１８でＹｅｓ）、本フローチャートは、Ｓ９１９に進む。タイマー１０１ａによって計測された時間が所定の時間以上でない場合（Ｓ９１８でＮｏ）、本フローチャートは、Ｓ９１８に戻る。
【０１５３】
Ｓ９１９において、制御部１０１は、所定の電力の出力を停止するように給電部１０２を制御する。この場合、本フローチャートは、Ｓ９２０に進む。
【０１５４】
Ｓ９２０において、制御部１０１は、通信電力を出力するように給電部１０２を制御する。この場合、本フローチャートは、Ｓ９２１に進む。
【０１５５】
Ｓ９２１において、制御部１０１は、メモリ１０８に給電継続フラグを設定する。この場合、本フローチャートは終了し、図６のＳ６０７に進む。
【０１５６】
（受電処理）
次に、実施例１において、制御部２０１によって行われる受電処理について、図１０のフローチャートを用いて説明する。受電処理は、制御部２０１がメモリ２０８に格納されているコンピュータプログラムを実行することにより実現することができる。図１０の受電処理が行われる際、スイッチ２２０はオンであるものとする。
【０１５７】
Ｓ１００１において、制御部２０１は、第１の通信部２０６によって受電ステータスデータを要求するデータが受信されたか否かを判定する。第１の通信部２０６によって受電ステータスデータを要求するデータが受信された場合（Ｓ１００１でＹｅｓ）、本フローチャートは、Ｓ１００２に進む。第１の通信部２０６によって受電ステータスデータを要求するデータが受信されていない場合（Ｓ１００１でＮｏ）、本フローチャートは、Ｓ１００１に戻る。
【０１５８】
Ｓ１００２において、制御部２０１は、電池２１１の残容量に応じて、電池２１１の充電が完了したか否かを判定する。電池２１１の充電が完了した場合（Ｓ１００２でＹｅｓ）、本フローチャートはＳ１０１３に進む。電池２１１の充電が完了していない場合（Ｓ１００２でＮｏ）、本フローチャートはＳ１００３に進む。
【０１５９】
Ｓ１００３において、制御部２０１は、電子機器２００に第１のエラー、第２のエラー、第３のエラー及び第４のエラーの少なくとも一つが発生しているか否かを判定する。電子機器２００に第１のエラー、第２のエラー、第３のエラー及び第４のエラーの少なくとも一つが発生している場合（Ｓ１００３でＹｅｓ）、本フローチャートはＳ１０１４に進む。電子機器２００に第１のエラー、第２のエラー、第３のエラー及び第４のエラーが発生していない場合（Ｓ１００３でＮｏ）、本フローチャートはＳ１００４に進む。
【０１６０】
Ｓ１００４において、制御部２０１は、受電ステータスデータを給電装置１００に送信するように第１の通信部２０６を制御する。この場合、本フローチャートは、Ｓ１００５に進む。
【０１６１】
Ｓ１００５において、制御部２０１は、第１の通信部２０６によって給電装置１００から給電ステータスデータが受信されたか否かを判定する。
【０１６２】
第１の通信部２０６によって給電ステータスデータが受信された場合（Ｓ１００５でＹｅｓ）、本フローチャートは、Ｓ１００６に進む。第１の通信部２０６によって給電ステータスデータが受信されてない場合（Ｓ１００５でＮｏ）、本フローチャートは、終了する。
【０１６３】
Ｓ１００６において、制御部２０１は、給電ステータスデータに異物検出処理を行うことを示す情報が含まれているか否かを判定する。給電ステータスデータに異物検出処理を行うことを示す情報が含まれている場合（Ｓ１００６でＹｅｓ）、本フローチャートは、Ｓ１００７に進む。給電ステータスデータに異物検出処理を行うことを示す情報が含まれていない場合（Ｓ１００６でＮｏ）、本フローチャートは、Ｓ１０１５に進む。
【０１６４】
Ｓ１００７において、制御部２０１は、給電ステータスデータを受信したことを示す応答データを給電装置１００に送信するように第１の通信部２０６を制御する。この場合、本フローチャートは、Ｓ１００８に進む。
【０１６５】
Ｓ１００８において、制御部２０１は、スイッチ２２０をオフする。この場合、本フローチャートは、Ｓ１００９に進む。なお、制御部２０１は、スイッチ２２０がオフにされてから経過した時間を計測するようにタイマー２０１ａを制御する。
【０１６６】
Ｓ１００９において、制御部２０１は、タイマー２０１ａによって測定された時間が給電ステータスデータに含まれる検出時間以上であるか否かを判定する。タイマー２０１ａによって測定された時間が検出時間以上である場合（Ｓ１００９でＹｅｓ）、本フローチャートはＳ１０１０に進む。タイマー２０１ａによって測定された時間が検出時間以上でない場合（Ｓ１００９でＮｏ）、本フローチャートはＳ１００９に戻る。
【０１６７】
Ｓ１０１０において、制御部２０１は、スイッチ２２０をオンする。この場合、本フローチャートは、Ｓ１０１１に進む。
【０１６８】
Ｓ１０１１において、制御部２０１は、受電アンテナ２０３によって受電された電力を用いて電池２１１を充電するように充電部２１０を制御する。さらに、電子機器２００の電源がオンである場合、制御部２０１は、受電アンテナ２０３によって受電された電力をさらに負荷部２０９に供給する。この場合、本フローチャートはＳ１０１２に進む。
【０１６９】
Ｓ１０１２において、制御部２０１は、タイマー２０１ａによって測定された時間が給電ステータスに含まれる所定の時間以上であるか否かを判定する。タイマー２０１ａによって測定された時間が所定の時間以上である場合（Ｓ１０１２でＹｅｓ）、本フローチャートはＳ１００１に進む。タイマー２０１ａによって測定された時間が所定の時間以上でない場合（Ｓ１０１２でＮｏ）、本フローチャートはＳ１０１２に戻る。
【０１７０】
Ｓ１０１３において、制御部２０１は、電池２１０の充電が完了したことを示す情報を含む受電ステータスデータを給電装置１００に送信するように第１の通信部２０６を制御する。この場合、本フローチャートは、終了する。
【０１７１】
Ｓ１０１４において、制御部２０１は、電子機器２００にエラーが発生したこと及びエラーの種類を示す情報を含む受電ステータスデータを給電装置１００に送信するように第１の通信部２０６を制御する。この場合、本フローチャートは、終了する。
【０１７２】
Ｓ１０１５において、制御部２０１は、給電ステータスデータを受信したことを示す応答データを給電装置１００に送信するように第１の通信部２０６を制御する。この場合、本フローチャートは、Ｓ１０１１に進む。
【０１７３】
このように、給電装置１００は、電子機器２００に供給する所定の電力や所定の電力が出力される所定の時間に応じて、異物を検出する処理を行うか否かを制御するようにした。これにより、給電装置１００は、無線給電による異物への影響を考慮して、異物の検出を行うので、適切に無線給電が行われるようにすることができる。
【０１７４】
また、給電装置１００は、電子機器２００から要求された電力や電子機器２００に接続される電池２１１の残容量に応じて、異物を検出する処理を行うか否かを制御するようにした。これにより、給電装置１００は、電子機器２００の状態を考慮して、異物の検出を行うれるので、適切に無線給電が行われるようにすることができる。
【０１７５】
さらに、電子機器２００は、給電装置１００からの異物の検出を行うか否かの通知に応じて、スイッチ２２０を制御するようにした。これにより、電子機器２００は、給電装置１００によって異物の検出が行われる場合、高い精度で異物が検出されるようにすることができるので、適切に無線給電が行われるようにすることができる。
【０１７６】
なお、給電装置１００は、図８の給電処理が行われるたびに、異物検出処理を行うか否かを判定するようにした。しかしながら、給電装置１００は、制御部１０１によって行われる１回目の給電処理において、異物検出処理を行うか否かを判定し、２回目以降の給電処理においては、異物検出処理を行わないようにしても良い。また、給電装置１００は、制御部１０１によって行われる１回目の給電処理において、異物検出処理を行うか否かを判定し、２回目以降の給電処理においては、１回目の給電処理における判定結果に応じて、異物検出処理を行うか否かを制御するようにしても良い。
【０１７７】
実施例１において、給電装置１００は、給電アンテナ１０７を用いて電子機器２００に所定の電力を供給し、給電アンテナ１０７を用いて第１の通信部１０６と電子機器２００との通信を行うようにしたが、これに限られないものとする。例えば、給電装置１００は、電子機器２００に所定の電力を供給するためのアンテナと、第１の通信部１０６と電子機器２００との通信を行うためのアンテナとを別々に有する構成であってもよい。
【０１７８】
また、電子機器２００は、受電アンテナ２０３を用いて給電装置１００から電力を受け取り、受電アンテナ２０３を用いて給電装置１００と第１の通信部２０６との通信を行うようにしたが、これに限られないものとする。例えば、電子機器２００は、給電装置１００から電力を受け取るためのアンテナと、給電装置１００と第１の通信部２０６との通信を行うアンテナとを別々に有する構成であってもよい。
【０１７９】
なお、第１の通信部１０６がＮＦＣ規格におけるリーダライタとして動作するものとして説明を行ったが、これに限られないものとする。例えば、第１の通信部１０６がＮＦＣ規格におけるＰ２Ｐ（Ｐｅｅｒ  Ｔｏ  Ｐｅｅｒ）として動作するものであってもよい。
【０１８０】
（他の実施例）
本発明に係る給電装置は、実施例１で説明した給電装置１００に限定されるものではない。例えば、本発明に係る給電装置は、複数の装置から構成されるシステムにより実現することも可能である。また、本発明に係る電子機器は、実施例１で説明した電子機器２００に限定されるものではない。例えば、本発明に係る電子機器は、複数の装置から構成されるシステムにより実現することも可能である。
【０１８１】
また、実施例１で説明した様々な処理及び機能は、コンピュータプログラムより実現することも可能である。この場合、本発明に係る処理はコンピュータプログラムで実行可能であり、実施例１で説明した様々な機能を実現することになる。
【０１８２】
本発明に係るコンピュータプログラムは、コンピュータ上で稼動しているＯＳ（Ｏｐｅｒａｔｉｎｇ  Ｓｙｓｔｅｍ）などを利用して、実施例１で説明した様々な処理及び機能を実現してもよいことは言うまでもない。
【０１８３】
本発明に係るコンピュータプログラムは、コンピュータ読取可能な記録媒体から読み出され、コンピュータで実行されることになる。コンピュータ読取可能な記録媒体には、ハードディスク装置、光ディスク、ＣＤ−ＲＯＭ、ＣＤ−Ｒ、メモリカード、ＲＯＭ等を用いることができる。また、本発明に係るコンピュータプログラムは、通信インターフェースを介して外部装置からコンピュータに提供され、当該コンピュータで実行されるようにしてもよい。
【図１】
0006376919.tif 000002
【図２】
0006376919.tif 000003
【図３】
0006376919.tif 000004
【図４】
0006376919.tif 000005
【図５】
0006376919.tif 000006
【図６】
0006376919.tif 000007
【図７】
0006376919.tif 000008
【図８】
0006376919.tif 000009
【図９】
0006376919.tif 000010
【図１０】
0006376919.tif 000011